(57)【要約】      （修正有）【課題】住宅地等の狭隘な現場でも使用することができる、小型で低騒音の硬質地盤掘削装置を提供する。【解決手段】ベース機１と、前記ベース機前方に取り付けたリーダーマスト２１と、前記リーダーマストに取り付けた中空減速機３とから硬質地盤掘削装置を構成する。また、前記リーダーマストは、前記中空減速機を保持するリーダー２２と、前記リーダーを保持する調整部２１と、からなる。前記調整部は、前記リーダーと前記ベース機との相対角度を調整可能な角度調整機構と、前記リーダーを昇降する昇降機構と、を有する。前記中空減速機は、前記中空減速機に挿通した掘削用オーガー４を把持するくさび式チャック３２と、前記中空減速機の外周に配置し、前記くさび式チャックを駆動する駆動用ジャッキ３３と、を備えて、硬質地盤掘削装置を構成する。【選択図】図１
0003168222.tif 000002
【実用新案登録請求の範囲】
【請求項１】
ベース機と、前記ベース機前方に取り付けたリーダーマストと、前記リーダーマストに取り付けた中空減速機と、からなる、硬質地盤掘削装置であって、
前記リーダーマストは、前記中空減速機を保持するリーダーと、前記リーダーを保持する調整部と、からなり、
前記調整部は、前記リーダーと前記ベース機との相対角度を調整可能な角度調整機構と、前記リーダーを昇降する昇降機構と、を有し、
前記中空減速機は、前記中空減速機に挿通した掘削用オーガーを把持するくさび式チャックと、前記中空減速機の外周に配置し、前記くさび式チャックを駆動する駆動用ジャッキと、を有することを特徴とする、硬質地盤掘削装置。
【請求項２】
請求項１に記載の硬質地盤掘削装置において、
前記ベース機の前方及び後方にアウトリガーを設け、前方に設けた前記アウトリガーはピンにより旋回可能に軸支することを特徴とする、硬質地盤掘削装置。
【請求項３】
請求項１又は請求項２に記載の硬質地盤掘削装置において、
前記ベース機の後方内部にウェイトを設けることを特徴とする、硬質地盤掘削装置。
【考案の詳細な説明】
【技術分野】
【０００１】
本考案は硬質地盤掘削装置に関する。
【背景技術】
【０００２】
従来、硬質地盤を掘削する場合には、据え置き型の掘削装置や、自走式の大型の掘削装置を用いる他、クレーンにダウンザホールハンマーを取り付けて掘削する方法が用いられる。
【考案の概要】
【考案が解決しようとする課題】
【０００３】
しかし、これらによる硬質地盤の掘削には、以下のような問題点がある。
（１）据え置き型の掘削装置はクレーンにより搬入して構築するため、施工期間が長期化してしまう。
（２）自走式の掘削装置は、硬質地盤掘削用の専用機であり、大型である。このため、住宅地等の狭隘な現場に搬入して使用することはできない。
（３）ダウンザホールハンマーは騒音、振動が大きく、施工現場が限定されてしまう。
【０００４】
本考案は、住宅地等の狭隘な現場でも使用することができる、小型で低騒音の硬質地盤掘削装置を提供することを目的とする。
【課題を解決するための手段】
【０００５】
上記の目的を達成するために、本願の第一考案は、ベース機と、前記ベース機前方に取り付けたリーダーマストと、前記リーダーマストに取り付けた中空減速機と、からなる、硬質地盤掘削装置であって、前記リーダーマストは、前記中空減速機を保持するリーダーと、前記リーダーを保持する調整部と、からなり、前記調整部は、前記リーダーと前記ベース機との相対角度を調整可能な角度調整機構と、前記リーダーを昇降する昇降機構と、を有し、前記中空減速機は、前記中空減速機に挿通した掘削用オーガーを把持するくさび式チャックと、前記中空減速機の外周に配置し、前記くさび式チャックを駆動する駆動用ジャッキと、を有することを特徴とする、硬質地盤掘削装置を提供する。
本願の第二考案は、第一考案の硬質地盤掘削装置において、前記ベース機の前方及び後方にはアウトリガーを設け、前方に設けた前記アウトリガーはピンにより旋回可能に軸支することを特徴とする、硬質地盤掘削装置を提供する。
本願の第三考案は、第一考案又は第二考案に記載の硬質地盤掘削装置において、前記ベース機の後方内部にウェイトを設けることを特徴とする、硬質地盤掘削装置を提供する。
【考案の効果】
【０００６】
本考案は、上記した課題を解決するための手段により、次のような効果の少なくとも一つを得ることができる。
（１）リーダーマストの調整部に角度調整機構と昇降機構を合わせて設けることにより、リーダーマストを軽量化し、掘削装置を小型化することができる。
（２）リーダーマストを軽量化することにより、装置の重心がベース機側に移動し、小型でも安定した掘削装置となる。
（３）前方のアウトリガーを旋回式とすることにより、アウトリガーによるリーダーマスト側の支持範囲を拡大し、小型でも安定した掘削装置となる。
（４）ベース機の後方内部にウェイトを設けて装置前後のウェイトバランスを取ることにより、小型でも安定した掘削装置となる。
（５）チャック駆動用ジャッキを中空減速機の外周に設けることにより、ジャッキを大型化でき、掘削用オーガーを把持する力を高めることができる。
（６）駆動用ジャッキを中空減速機の外周に設けることにより、ジャッキのメンテナンス性が向上する。
（７）装置を小型化することにより、狭隘な現場への搬入、施工が可能となる。
【図面の簡単な説明】
【０００７】
【図１】本考案の硬質地盤掘削装置の側面図
【図２】本考案の硬質地盤掘削装置の平面図
【考案を実施するための形態】
【０００８】
以下、図面を参照しながら本発明の実施の形態について説明する。
【実施例】
【０００９】
＜１＞本考案の構成
本考案の硬質地盤掘削装置は、ベース機１と、ベース機１前方に取り付けたリーダーマスト２と、リーダーマスト２に取り付けた中空減速機３と、からなる。
本考案の硬質地盤掘削装置は、中空減速機３によって掘削用オーガー４を把持しながら回転させ、リーダーマスト２に沿って中空減速機３及び中空減速機によって把持して回転させた掘削用オーガー４を上下動することにより、地盤を掘削する。
掘削用オーガー４は硬質地盤を掘削するものであり、重量が大きい。
【００１０】
（１）ベース機
ベース機１は、自走式の小型の油圧ショベル、特に０．４ｍ3クラスのショベルの本体部分をベースにしたものである。
ベース機１を小型の油圧ショベルとすることにより、住宅密集地等の狭隘な現場であっても自走して搬入、施工を行うことができる。
【００１１】
（２）リーダーマスト
リーダーマスト２はベース機１の前方に取り付ける。
リーダーマスト２は、ベース機１側に設ける調整部２１と、調整部２１によって保持するリーダー２２と、からなる。
【００１２】
（２−１）調整部
調整部２１は、ベース機１の前方に立設する。
調整部２１は、下端を水平ピン２３で軸支し、上側を、ベース機１に取り付けたシリンダー２４によって保持する。そして、シリンダー２４を伸縮することによりリーダーマスト２の角度調整が可能となる。
また、調整部２１は、前面にてリーダー２２を保持し、内部には、リーダー２２を昇降するための昇降機構を設ける。昇降機構はチェーンやスプロケット、油圧モーター等を組み合わせた公知の機構である。昇降機構を駆動することにより、リーダー２２は調整部２１に沿って昇降する。
【００１３】
（２−２）リーダー
リーダー２２は、前面に中空減速機３を有する。
リーダーは調整部２１に沿って昇降する。
【００１４】
従来の硬質地盤掘削装置のリーダーマストは、中空減速機の昇降のためのリーダー、リーダー昇降のための昇降機構、角度調整のための角度調整機構の３つの機構を有している。
本考案の硬質地盤掘削装置は、調整部２１が昇降機構と角度調整機構を合わせ持つことにより、リーダーマスト２は二つの機構となる。
このため、リーダーマスト２の軽量化とともに、ベース機１と掘削用オーガー４との距離が短くなることで、重心が掘削装置の中心に近づき、安定した掘削装置となる。
【００１５】
（３）中空減速機
中空減速機３は、中空部３１に挿通して把持した掘削用オーガー４を回転するとともに、リーダー２２に沿って昇降する。掘削用オーガー４を回転保持した状態で中空減速機３を下降して地盤を掘削する。掘削用オーガー４を回転して掘削するため低騒音である。
中空減速機３は、リーダー２２前面に昇降可能に取り付ける。中空減速機３の昇降は公知の昇降機構により行う。
中空減速機３は中空部３１の周囲に設けたくさび式チャック３２を上下して掘削用オーガー４を把持する。
【００１６】
くさび式チャック３２は中空減速機３の周囲に設けた駆動用ジャッキ３３により上下動する。
本考案の掘削装置は硬質地盤を掘削するものであるため、掘削用オーガー４を把持する力を大きくする必要がある。
くさび式チャック３２を上下動する駆動用ジャッキ３３は、中空減速機３内部ではなく、中空減速機３の外周に設ける。このため、設置空間の制限を受けることがなく、駆動用ジャッキ３３は大型とすることができ、くさび式チャック３２の掘削用オーガー４の把持力を大きくすることができる。
また、駆動用ジャッキ３３を中空減速機３の外部に設けることにより、駆動用ジャッキ３３のメンテナンス性が向上する。
【００１７】
リーダー２２の下部には掘削用オーガー４を挿通可能な下部ガイド２５を着脱自在に取り付ける。
下部ガイド２５は昇降する掘削用オーガー４のガイドとなる。
【００１８】
（４）アウトリガー
ベース機１は、前方及び後方の両側に掘削時に掘削装置を支えるためのアウトリガー５１、５２を設ける。
このうち、前方アウトリガー５１は、垂直ピン５３で軸支し、水平方向に旋回可能とする。
掘削装置の前方には重量の大きな掘削用オーガー４を取り付ける。掘削装置のベース機１は小型であるため、掘削装置の重心は前方に大きく移動する。
しかし、前方アウトリガー５１は旋回可能であるため、装置前方での支持範囲を広げることにより、転倒を防止する。
また、前方アウトリガー５１の支持範囲を広げることにより、小型でより安定した掘削装置とすることができる。
【００１９】
（５）ウェイト
ベース機１の後方の内部空間に、１ｔの鉄塊からなるウェイト６を設ける。
掘削装置の前方に取り付ける掘削オーガー４に対応して、後方にウェイト６を設けることにより、掘削装置前後のウェイトバランスを取り、小型でも安定した掘削装置となる。
ウェイト６はベース機１の後方内部に設けるため、外形寸法を変えることなく、装置の安定性を増すことができる。
【符号の説明】
【００２０】
１      ベース機
２      リーダーマスト
２１    調整部
２２    リーダー
２３    水平ピン
２４    シリンダー
２５    下部ガイド
３      中空減速機
３１    中空部
３２    くさび式チャック
３３    駆動用ジャッキ
４      掘削用オーガー
５１    前方アウトリガー
５２    アウトリガー
５３    垂直ピン
６      ウェイト
【図１】
0003168222.tif 000003
【図２】
0003168222.tif 000004